(57)【要約】【課題】  一方の眼の眼特性の測定から、他方の眼の眼特性の測定への移行を迅速に行うことのできる眼科装置を提供する。【解決手段】  本発明に係わる眼科装置は、装置本体を前後左右上下方向に駆動する駆動手段と、被検眼に対して前記装置本体を自動的にアライメントするアライメント手段と、装置本体のベースに対する左右方向器械中心位置を検出する検出センサＳＯと、一方の眼の眼特性の測定終了後に一方の眼の眼特性を測定した位置から左右方向器械中心位置Ｏに向かって装置本体が移動されるように駆動手段３０を制御すると共に、検出センサの検出後に被検者の前眼部像を取得して虹彩の縁を検知することにより他方の眼の角膜中心に向かう方向に装置本体が虹彩の縁から所定距離移動されるようにかつアライメント手段によるアライメントが実行されるように駆動手段３０を制御する制御手段４９とを備えている。【選択図】  図１１
2010131286.tif 000002
【特許請求の範囲】
【請求項１】
装置本体を前後左右上下方向に駆動する駆動手段と、被検眼に対して前記装置本体を自動的にアライメントするアライメント手段とを有する眼科装置において、
前記装置本体のベースに対する左右方向器械中心位置を検出する検出センサと、前記一方の眼の眼特性の測定終了後に該一方の眼の眼特性を測定した位置から左右方向器械中心位置に向かって前記装置本体が移動されるように前記駆動手段を制御すると共に、前記検出センサの検出後に被検者の前眼部像を取得して虹彩の縁を検知することにより前記他方の眼の角膜中心に向かう方向に前記装置本体が虹彩の縁から所定距離移動されるようにかつ前記アライメント手段によるアライメントが実行されるように前記駆動手段を制御する制御手段とを備えた眼科装置。
【請求項２】
前記眼特性が眼屈折力であることを特徴とする請求項１に記載の眼科装置。
【請求項３】
前記眼特性が眼圧であることを特徴とする請求項１に記載の眼科装置。
【発明の詳細な説明】
【技術分野】
【０００１】
本発明は、被検眼の眼屈折力や眼圧を測定する眼科装置の改良に関する。
【背景技術】
【０００２】
従来から、被検眼の眼屈折力や眼圧を測定する眼科装置が知られている。この眼科装置には、装置本体を前後左右上下方向に駆動する駆動手段と、被検眼に対して装置本体を自動的にアライメントするアライメント手段とを備えたものが知られている。
【０００３】
また、この種の眼科装置には、装置本体のベースに対する左右方向器械中心位置を検出する検出センサを備え、右眼と左眼とのいずれか一方の眼特性の測定実行後、他方の眼の眼特性の測定を行うために、装置本体をいずれか一方の眼の眼特性を測定した位置からいずれか他方の眼の眼特性を測定する位置に向かって駆動して、装置本体の主光軸が自動的にアライメントされるようにしたものも知られている（例えば、特許文献１参照。）。
【特許文献１】特許第３６１０１３３号
【発明の開示】
【発明が解決しようとする課題】
【０００４】
ところで、この従来の眼科装置では、装置本体を測定しようとする一方の眼に向けて移動させ、装置本体の被検眼に対するオートアライメントを実行し、一方の眼の眼特性の測定実行後、他方の眼に向けて装置本体を駆動するに際し、装置本体のベースに対する左右方向器械中心位置から一方の眼までの装置本体の移動距離を検出した後、他方の眼の眼特性の測定に移行するために、一方の眼の眼特性を測定する位置から装置本体をこの移動距離の２倍の移動距離に達するまで移動させ、その装置本体がその２倍の移動距離に達した位置から、被検眼に対する装置本体のオートアライメントを実行するようにしている。
【０００５】
この従来の眼科装置では、図１（ａ）、図１（ｂ）に示すように、被験者の顔１が装置本体に対して真っ直ぐ向けられ、かつ、左右の眼ＥＲ、ＥＬが装置本体の左右方向器械中心位置Ｏに対して等距離にある場合、例えば、左右方向器械中心位置Ｏから距離Ｌ１だけ一方の眼としての右眼ＥＲに移動させて右眼ＥＲの眼特性の測定を行い、他方の眼としての左眼ＥＬの眼特性の測定に移行するために、一方の眼の眼特性を測定した位置から装置本体をこの移動距離の２倍の移動距離２Ｌ１に達するまで移動させると、他方の眼の角膜中心位置の近傍に装置本体の主光軸Ｏ１が位置することになるので、一方の眼の眼特性の測定から他方の眼の眼特性の測定までの一連の作業を迅速に行うことができる。
【０００６】
これに対して、図２（ａ）、図２（ｂ）に示すように、被験者の顔１の額が額当て２に対して斜めに当たり、顔１が装置本体に対して斜めに傾いている場合、右眼ＥＲから左右方向器械中心位置Ｏまでの距離Ｌ２と左眼ＥＬから左右方向器械中心位置Ｏまでの距離Ｌ３とが異なることになる。このため、単に、他方の眼の眼特性の測定に移行するために、一方の眼の眼特性を測定した位置から装置本体をその移動距離の２倍の移動距離２Ｌ２としたのでは、左右方向器械中心位置Ｏが被験者の他方の眼の角膜頂点から大きくずれることがあり、一方の眼の眼特性の測定から他方の眼の眼特性の測定までの一連の作業を迅速に行うことができないことになる。
【０００７】
また、図３（ａ）、図３（ｂ）に示すように、左右方向器械中心位置（額当て２の左右方向中心位置Ｏ’）Ｏに対して一方の眼の側に偏って顔１の額が当て付けられている場合にも、一方の眼の眼特性の測定から他方の眼の眼特性の測定までの一連の作業を迅速に行うことができないという事態が生じ得ることになる。
【０００８】
一方の眼の眼特性の測定から、他方の眼の眼特性の測定に移行するために、一方の眼の眼特性を測定する位置から装置本体を予め定めた距離だけ他方の眼に移動させる構成の眼科装置にも同様の問題が生じる。
【０００９】
従来の眼科装置の場合、このような場合には、やむなく、検者がコントロールレバーを操作して、前眼部を観察しつつ測定しようとする眼の角膜中心近傍に大まかに合わせて、その後、オートアライメントを実行させるようにしていた。
【００１０】
本発明は、上記の事情に鑑みて為されたもので、その目的は、一方の眼の眼特性の測定から、他方の眼の眼特性の測定への移行を迅速に行うことのできる眼科装置を提供することにある。
【課題を解決するための手段】
【００１１】
本発明に係わる眼科装置は、装置本体を前後左右上下方向に駆動する駆動手段と、被検眼に対して前記装置本体を自動的にアライメントするアライメント手段とを有する眼科装置において、前記装置本体のベースに対する左右方向器械中心位置を検出する検出センサと、前記一方の眼の眼特性の測定終了後に該一方の眼の眼特性を測定した位置から左右方向器械中心位置に向かって前記装置本体が移動されるように前記駆動手段を制御すると共に、前記検出センサの検出と同時に被検者の前眼部像を取得して虹彩の縁を検知することにより前記他方の眼の角膜中心に向かう方向に前記装置本体が虹彩の縁から所定距離移動されるようにかつ前記アライメント手段によるアライメントが実行されるように前記駆動手段を制御する制御手段とを備えたことを特徴とする。
【発明の効果】
【００１２】
本発明によれば、一方の眼の眼特性の測定から、他方の眼の眼特性の測定までの一連の作業を自動的に迅速に行うことができるという効果を奏する。
【発明を実施するための最良の形態】
【００１３】
以下に、本発明に係わる眼科装置の発明の実施の形態を図面を参照しつつ説明する。
【実施例】
【００１４】
図４は本発明に係わる眼科装置の外観図である。この図４において、１０は眼科装置である。眼科装置１０は、ベース１１、眼科装置本体としての測定ヘッド１２、液晶ディスプレイ１３、コントロールレバー１４、測定スイッチ１５、顎受け１６、額当て１７を有する。その液晶ディスプレイ１３は検者の側に設けられ、顎受け１６、額当て１７は被検者の側に設けられている。
【００１５】
被検者は、顎を顎受け１６に載せ、額当て１７に額を当接させた状態で検査を行う。測定ヘッド１２は、ベース１１に対して上下方向（Ｙ方向）・前後方向（Ｚ方向）・左右方向（Ｘ方向）に移動可能な構成とされている。測定ヘッド１２の駆動は後述する駆動機構によって行われる。
【００１６】
液晶ディスプレイ１３には、被検眼の前眼部像等の画像が表示される。また、検査結果等も表示される。コントロールレバー１４は測定ヘッド１２を手動で駆動するときに用いられる。駆動機構はベース１１内に設けられている。その駆動機構は図５に示すように底板２０を有する。底板２０はベース１１に固定され、底板２０には支持部２１が設けられている。
【００１７】
支持部２１は中空部を有し、この中空部には支柱２２が配設されている。また、底板２０には駆動モータ（駆動手段）２３が固定されている。駆動モータ２３は図示を略す駆動力伝達機構を介して支柱２２を上下方向に駆動する。支柱２２にはステージ２４が固着されている。ステージ２４は支柱２２と共に上下動される。
【００１８】
ステージ２４には一対の前後方向レール２５が設けられている。前後方向レール２５にはステージ２６が設けられている。ステージ２４には駆動モータ（駆動手段）２７が設けられている。駆動モータ２７は、図示を略す駆動力伝達機構を介して駆動力をステージ２６に伝達し、これにより、ステージ２６は被検者に対して前後方向（Ｚ方向）に駆動される。ステージ２６にはベース１１に対するステージ２９の左右方向器械中心位置Ｏを検出する検出センサＳＯが設けられている。この検出センサＳＯは例えばフォトカプラから構成されている。この検出センサＳＯの役割については後述する。
【００１９】
ステージ２６には左右方向レール２８が設けられている。左右方向レール２８にはステージ２９が設けられている。ステージ２６には駆動モータ（駆動手段）３０が設けられている。駆動モータ３０は、図示を略す駆動力伝達機構を介して駆動力をステージ２９に伝達する。これにより、ステージ２９は被検者に対して左右方向に駆動される。
【００２０】
測定ヘッド１２には、図６に模式的に示すように、眼屈折力測定部１２Ａと眼圧測定部１２Ｂとが設けられている。眼屈折力測定部１２Ａは、被検眼Ｅの眼屈折力（球面度数、乱視度数、乱視軸角度等）を測定する際に用いられる。眼圧測定部１２Ｂは、被検眼Ｅの眼圧を測定する際に用いられる。眼屈折力測定部１２Ａは、例えば、眼圧測定部１２Ｂの上部に設けられている。
（眼屈折力測定部１２Ａの構成）
眼屈折力測定部１２Ａは、図７に示す光学系を有する。この光学系は図示を略すケース内にコンパクトにまとめて配置されている。その図７において、４１は被検眼Ｅを固視・雲霧させるために視標を眼底Ｅｒに投影する固視標投影光学系、４２は被検眼Ｅの前眼部Ｅｆを観察する観察光学系、４３は照準スケールをＣＣＤ４４に投影するスケール投影光学系、４５は被検眼Ｅの屈折力を測定するためのパターン光束を眼底Ｅｒに投影するパターン光束投影光学系、４６は眼底Ｅｒから反射された光束をＣＣＤ４４に受光させる受光光学系、４７は光軸と垂直な方向のアライメント状態を検出するための指標光を被検眼に向けてて投影するアライメント光投影系、４８は被検眼Ｅと装置本体（測定ヘッド１２）との間の作動距離を検出するための作動距離検出光学系、４９は信号処理部である。なお、パターン光束投影光学系４５、受光光学系４６は、眼屈折力測定光学系を構成している。
【００２１】
固視標投影光学系４１は、光源５１、コリメータレンズ５２、指標板５３、リレーレンズ５４、ミラー５５、リレーレンズ５６、ダイクロイックミラー５７、ダイクロイックミラー５８、対物レンズ５９を備えている。
【００２２】
光源５１から出射された可視光は、コリメータレンズ５２によって平行光束とされた後、指標板５３を透過する。指標板５３には、被検眼Ｅを固視・雲霧させるためのターゲットが設けられている。そのターゲット光束は、リレーレンズ５４を透過してミラー５５により反射され、リレーレンズ５６を経てダイクロイックミラー５７に導かれかつこのミラー５５により反射されて光学系の主光軸Ｏ１に導かれ、ダイクロイックミラー５８を透過した後、対物レンズ５９を経て被検眼Ｅに導かれる。
【００２３】
光源５１、コリメータレンズ５２、指標板５３は、指標ユニットＵ１０を構成し、指標ユニットＵ１０は、被検眼Ｅを固視・雲霧させるために、駆動モータＰＭ１によって、固視標投影光学系４１の光軸Ｏ２に沿って一体に移動可能とされている。
【００２４】
観察光学系４２は、照明光源６１、対物レンズ５９、ダイクロイックミラー５８、絞り６１’を有するリレーレンズ６２、ミラー６３、リレーレンズ６４、ダイクロイックミラー６５、結像レンズ６６、ＣＣＤ４４を有する。
【００２５】
照明光源６１から出射された照明光束は、被検眼Ｅの前眼部Ｅｆを照明する。前眼部Ｅｆで反射された照明光束は、対物レンズ５９を経てダイクロイックミラー５８に反射され、リレーレンズ６２の絞り６１’を通過し、ミラー６３により反射された後、リレーレンズ６４、ダイクロイックミラー６５を透過して、結像レンズ６６によりＣＣＤ４４に導かれ、ＣＣＤ４４の撮像面に後述する前眼部像が形成される。
【００２６】
スケール投影光学系４３は、光源７１、照準スケールを有するコリメータレンズ７２、リレーレンズ７３、ダイクロイックミラー５８、絞り６１’を有するリレーレンズ６２、ミラー６３、リレーレンズ６４、ダイクロイックミラー６５、結像レンズ６６、ＣＣＤ４４を有する。
【００２７】
光源７１から出射された光束は、コリメータレンズ７２を透過する際に平行光束とされ、リレーレンズ７３、ダイクロイックミラー５８、絞り６１’を有するリレーレンズ６２を経てミラー６３により反射され、リレーレンズ６４、ダイクロイックミラー６５を経て結像レンズ６６によってＣＣＤ４４に結像される。ＣＣＤ４４からの映像信号は、信号処理部４９を介して液晶ディスプレイ１３に入力され、液晶ディスプレイ１３に前眼部像Ｅｆ’が表示されると共にアライメントマークＡＬＭ１、ＡＬＭ２が表示される。なお、アライメント完了後の屈折力測定時には、光源６１、７１は消灯される。
【００２８】
パターン光束投影光学系４５は、光源８１、コリメータレンズ８２、円錐プリズム８３、リング指標板８４、リレーレンズ８５、ミラー８６、リレーレンズ８７、穴空きプリズム８８、ダイクロイックミラー５７、ダイクロイックミラー５８、対物レンズ５９を備えている。
【００２９】
光源８１とリング指標板８４とは光学的に共役であり、リング指標板８４と被検眼Ｅの瞳孔ＥＰとは光学的に共役な位置に配置されている。また、光源８１、コリメータレンズ８２、円錐プリズム８３、リング指標板８４は、指標ユニットＵ４０を構成し、この指標ユニットＵ４０は、駆動モータＰＭ２により光軸Ｏ３に沿って進退駆動される。
【００３０】
光源８１から出射された光束は、コリメータレンズ８２によって平行光束とされ、円錐プリズム８３を透過してリング指標板８４に導かれる。このリング指標板８４に形成されたリング状のパターン部分を透過してパターン光束となる。このパターン光束は、リレーレンズ８５を透過した後、ミラー８６により反射され、リレーレンズ８７を透過して穴空きプリズム８８の反射面によって反射され、主光軸Ｏｌに沿つてダイクロイックミラー５７に導かれ、このダイクロイックミラー５７、５８を透過した後、対物レンズ５９により眼底Ｅｒに結像される。
【００３１】
受光光学系４６は、対物レンズ５９、ダイクロイックミラー５８、５７、穴空きプリズム８８の穴部８８ａ、リレーレンズ９１、ミラー９２、リレーレンズ９３、ミラー９４、合焦レンズ９５、ミラー９６、ダイクロイックミラー６５、結像レンズ６６、ＣＣＤ４４を有する。合焦レンズ９５は、指標ユニットＵ４０と連動して、光軸Ｏ４に沿って移動可能とされている。
【００３２】
パターン光束投影光学系４５によつて眼底Ｅｒに導かれかつこの眼底Ｅｒで反射された反射光束は、対物レンズ５９により集光され、ダイクロイックミラー５８、５７を透過し、穴空きプリズム８８の穴部８８ａへと導かれ、この穴部８８ａを通過する。この穴部８８ａを通過したパターン反射光束は、リレーレンズ９１を透過してミラー９２によって反射され、リレーレンズ９３を透過してミラー９４により反射され、合焦レンズ９５を透過してミラー９６、ダイクロイックミラー６５により反射され、結像レンズ６６によってＣＣＤ４４に導かれる。これにより、ＣＣＤ４４にパターン像が結像される。
【００３３】
アライメント光投影系４７は、ＬＥＤ１０１、ピンホール１０２、コリメートレンズ１０３、ハーフミラー１０４を備え、被検眼Ｅの角膜Ｃに向けてアライメント指標光束を投影するアライメント手段としての機能を有する。被検眼Ｅに向けて平行光として投影されたアライメント指標光束は、被検眼Ｅの角膜Ｃにおいて反射され、観察光学系４２によりＣＣＤ４４上にアライメント指標像Ｔが投影される。アライメント指標像ＴがアライメントスケールＡＬＭ１内に位置すると、アライメント完了と判断される。
【００３４】
作動距離検出光学系４８は、被検眼Ｅと装置本体（測定ヘッド１２）との間の作動距離を検出するアライメント手段としての機能を有する。この作動距離検出光学系４８は、有限距離から指標を投影する有限距離指標投影系１０２Ｒ、１０２Ｌをそれぞれ主光軸Ｏ１に関して左右対称に有する。有限距離から指標を投影する有限距離指標投影系１０２Ｒ、１０２Ｌは光源１０２ａからの光束を指標光束として被検眼Ｅに左右の斜めから投影する。
【００３５】
これらの２つの有限距離指標投影系１０２Ｒ、１０２Ｌからの指標光束は、被検眼Ｅの角膜Ｃで反射されて、観察光学系４２によりＣＣＤ４４上に結像される。信号処理部４９は、このＣＣＤ４４からの出力に基づいて、有限距離指標投影系１０２Ｒ、１０２Ｌからの指標光束による指標像１０２Ｒ’、１０２Ｌ’が液晶ディスプレイ１３に表示される。なお、ＣＣＤ４４上には指標像’１０２Ｒ’、１０２Ｌ’と同じ指標像が結像されている。これらの指標像がＣＣＤ４４上で一定の位置関係になった場合、作動距離が測定に適した距離Ｗｏになったと検出される。
【００３６】
信号処理部４９は、図８に示すように、演算制御回路１１０、Ａ／Ｄ変換器１１２、フレームメモリ１１３、Ｄ／Ａ変換器１１４、Ｄ／Ａ変換器１１５とからなる。この演算制御回路１１０は、ＣＰＵ、ＲＯＭ、ＲＡＭ、入出力回路、コントロール回路等（図示せず）を有すると共に、駆動制御手段と虹彩検出手段と眼特性を演算する演算手段とを兼用し、演算結果等はＲＡＭに記憶される。
【００３７】
演算制御回路１１０は、フレームメモリ１１３、Ａ／Ｄ変換器１１２を介してＣＣＤ４４に接続されていると共に、Ｄ／Ａ変換器１１５を介して液晶ディスプレイ１３に接続されている。ＣＣＤ４４は、Ａ／Ｄ変換器１１２、フレームメモリ１１３、Ｄ／Ａ変換器１１４を介して液晶ディスプレイ１３に接続されている。
【００３８】
演算制御回路１１０は、パルスモータＰＭ１、ＰＭ２を駆動制御すると共に、駆動モータ２３、２７、３０を駆動制御する。これにより、装置本体（測定ヘッド）がＸ、Ｙ、Ｚ方向に駆動される。また、演算制御回路１１０は、各種光源５１、６１、７１、８１、１０２ａ、ＬＥＤ１０１の点灯制御を行うため、図示を略すドライバに接続されている。
【００３９】
演算制御回路１１０は、ＣＣＤ４４に受光されたアライメント指標像Ｔ、指標像１０２Ｒ’、１０２Ｌ’の受光位置を演算し、この演算結果に基づき、主光軸Ｏ１と被検眼Ｅの光軸との間のズレ量Δｘｙ、適正作動距離ＷＯからのズレ量Δｚを演算する。また、演算制御回路１１０は、ズレ量Δｘｙ、Δｚが閾値Δｘｙ0、Δｚ0以下となった場合に、光源８１を発光させる駆動信号を出力する。閾値Δｘｙ0、Δｚ0は信号処理部４９のＲＡＭ（図示を略す）に記憶されている。すなわち、演算制御回路１１０は被検眼Ｅに対して装置本体（測定ヘッド１２）を自動的にアライメントするアライメント手段として機能する。ここでは、眼屈折力測定部１２Ａ主光軸Ｏ１が被検眼Ｅに対してアライメントされる。
【００４０】
すなわち、電源スイッチがＯＮにされると、演算制御回路１１０は光源６１、７１、作動距離検出光学系の各光源１０２ａを点灯させる。検者は、図７に示すように、液晶ディスプレイ１３に映し出された前眼部像Ｅｆ’に基づき、被検眼Ｅの瞳孔ＥＰがアライメントマークＡＬＭ２に位置するように、コントロールレバー１４を操作する。これにより、概略のアライメントが行なわれる。この概略のアライメントが終了すると、アライメント指標像Ｔ、指標像１０２Ｒ’、１０２Ｌ’が液晶ディスプレイ１３の画面に映し出される。
【００４１】
この後、アライメント光投影系４７、作動距離検出光学系４８に基づくアライメント検出が開始される。これにより、装置本体（測定ヘッド１２）がＸ，Ｙ，Ｚ方向に駆動され、自動アライメント調整が開始される。すなわち、装置本体（測定ヘッド１２）は、その被検眼Ｅに対するズレ量Δｘｙ、ΔｚがそれぞれΔｘｙ0、Δｚ0以下となるようにＸ、Ｙ、Ｚ方向に駆動制御される。これにより、アライメント指標像ＴがアライメントマークＡＬＭ１内に位置すると、被検眼Ｅの角膜Ｃの頂点に対する自動アライメントが完了する。
【００４２】
この自動アライメントが完了すると、被検眼Ｅが正視眼であると仮定した場合の眼底共役位置にリング指標板８４が位置するようにユニットＵ４０が駆動されて光源８１が発光される。
【００４３】
これにより、被検眼Ｅの眼底Ｅｒに眼屈折力測定用のパターン光束が投影され、その結果、ＣＣＤ４４上にパターン像が結像される。ＣＣＤ４４からの映像信号は、ＡＤ変換器１１２によりデジタル値に変換され、フレームメモリ１１３に記憶される。演算制御回路１１０は、フレームメモリ１１３に記憶された画像データに基づき、パターン像を２値化処理により抽出する。これにより、眼屈折力としての球面度数、円柱度数、軸角度が周知の手法により測定される。この眼屈折力測定部の構成は特開２００２−２５３５０６号公報に開示のものと同一であるが、この構成に限られるものではない。
【００４４】
ここでは、このようにして、右眼ＥＲの眼屈折力測定が実行されたものとして、次に、左眼の測定を行う場合について説明する。
【００４５】
信号処理部４９は、右眼ＲＬの測定終了後、駆動モータ３０を駆動し、自動的に、装置本体（測定ヘッド１２）を左方向に駆動する。演算処理回路１１０は、ベース１１に対するステージ２９の左右方向器械中心位置Ｏが検出センサＳＯにより検出されると、以下に、説明する虹彩縁検出処理を実行する。
【００４６】
測定ヘッド１２が右眼ＥＲから左眼ＥＬに向かう方向に駆動されると、液晶ディスプレイ１３に映っている画像が変化し、図９に示すように、液晶ディスプレイ１３の画面に左眼ＥＬの一部が映し出される。
【００４７】
信号処理部（制御手段）４９は、検出センサＳＯによる左右方向器械中心位置Ｏの検出と同時に、虹彩の縁を検出する処理を行う。すなわち、信号処理部４９は、走査線Ｌｍによる信号Ｓのレベル検出処理を実行する機能を有する。信号処理部４９は、図９（ａ）、図９（ｂ）に示すように、前眼部Ｅｆの走査線Ｌｍによる走査を実行する。
【００４８】
検出信号Ｓのレベルは、前眼部ＥＦの皮膚に相当する部分の検出信号ＳのレベルＳ１よりも強膜Ｅｊに相当する部分の検出信号ＳのレベルＳ２が高く虹彩Ｅｉに相当する部分の検出信号ＳのレベルＳ３は検出信号ＳのレベルＳ１よりも低く、瞳孔Ｅｐに相当する部分の検出信号ＳのレベルＳ４は最も低い。
【００４９】
信号処理部４９は、検出信号Ｓのレベルを閾値ＳＬ１’と比較して強膜Ｅｊと虹彩Ｅｉとの縁Ｅｉ’を検出する。信号処理部４９は、縁Ｅｉ’の検出結果に基づいて装置本体を縁Ｅｉ’が検出された位置から左眼ＥＬの瞳孔Ｅｐに向かって所定距離（例えば、２．５ｍｍ）移動させる処理を行う。これにより、装置本体（測定ヘッド１２）の主光軸Ｏ１がアライメントマークＡＬＭ２内になる。
【００５０】
信号処理部４９は、図１０に示すように、アライメント輝点像ＴがアライメントマークＡＬＭ１の範囲内に入るように駆動モータ２３、２７、３０を制御する。
【００５１】
眼圧測定部１２Ｂの構成は、従来の非接触式眼圧計と同様の構成であるので、その詳細な説明は省略する（例えば、特開２００２−１０２１７０号公報参照）。
（作用）
以下、本発明に係わる眼科装置の作用を図１１に示すフローチャートを参照しながら説明することとする。
【００５２】
右眼ＥＲの眼特性としての眼屈折力の測定が終了したものとする（Ｓ．１）。装置本体は右眼ＥＲの眼屈折力の測定後に他方の眼に向けて移動される（Ｓ．２）。検出センサＳＯが左右方向器械中心位置Ｏを検出するまで（Ｓ．３）、装置本体は右眼ＥＲから左眼ＥＬに向かって移動される。検出センサＳＯが左右方向器械中心位置Ｏを検出すると、信号処理部４９は前眼部像Ｅｆ’を取得し（Ｓ．４）、信号処理部４９は虹彩Ｅｉの縁Ｅｉ’の有無を判断する（Ｓ．５）。装置本体は、虹彩Ｅｉの縁Ｅｉ’が検出されるまで、引き続き右眼ＥＲから左眼ＥＬに向かって移動される（Ｓ．６）。信号処理部４９は、虹彩Ｅｉの縁Ｅｉ’が検出されると、虹彩Ｅｉの縁Ｅｉ’から所定距離（２．５ｍｍ）引き続き同方向に装置本体が移動されるように駆動モータ３０を制御する（Ｓ．７）。信号制御部４９は、その装置本体の所定距離移動後、アライメント光投影光学系４７のＬＥＤ７１、作動距離検出光学系１０２の光源１０２ａを点灯させる（Ｓ．８）。ついで、信号処理部４９は、被検眼Ｅの角膜Ｃの頂点に装置本体の光学系の主光軸Ｏ１が一致するように装置本体を駆動する（Ｓ．９、Ｓ．９’）。信号処理部４９は、装置本体の主光軸Ｏ１がアライメントマークＡＬＭ１の範囲内に位置したとき、アライメントＯ・Ｋとして、眼屈折力の測定を実行し（Ｓ．１０）、これにより、左眼ＥＬの眼特性としての眼屈折力の測定が終了する（Ｓ．１１）。
【００５３】
以上、この発明の実施の形態では、眼屈折力、眼圧の測定を行う眼科装置について説明したが、本発明は、これに限るものでなく、例えば、眼屈折力の測定を行う眼科装置、眼圧の測定のみを行う眼科装置、角膜曲率半径の測定を行う眼科装置等にも適用できる。
【図面の簡単な説明】
【００５４】
【図１】従来の眼科装置の測定の一例を説明するための図であって、（ａ）は被検者の顔が額当てに正しく当っている状態を真上から見た図であり、（ｂ）は被検者の顔が額当てに正しく当っている状態を正面から見た図である。
【図２】従来の眼科装置の測定の不具合の一例を説明するための図であって、（ａ）は被検者の顔が額当てに斜めに当っている状態を真上から見た図であり、（ｂ）は被検者の顔が額当てに斜めに当っている状態を正面から見た図である。
【図３】従来の眼科装置の測定の不具合の他の例を説明するための図であって、（ａ）は被検者の顔が額当ての中心に対して横にずれている状態を真上から見た図であり、（ｂ）は被検者の顔が額当ての中心に対して横にずれている状態を正面から見た図である。
【図４】本発明に係わる眼科装置の外観の一例を示す図である。
【図５】図４に示すベース内に配置されている駆動機構の一例を示す図である。
【図６】図４に示す眼科装置の模式図である。
【図７】図６に示す眼屈折力部の光学系の一例を示す図である。
【図８】図６に示す信号処理部の一例を示すブロック図である。
【図９】本発明に係わる虹彩検出の一例を示す図であって、（ａ）は液晶ディスプレイに映っている前眼部像を示す図であり、（ｂ）は（ａ）に示す走査線による検出信号のレベルの説明図である。
【図１０】アライメント完了の有無の判断を説明するための説明図であって、アライメントマーク内にアライメント輝点像が位置している状態を示す説明図である。
【図１１】本発明に係わる眼科装置の作用の一例を説明するためのフローチャートである。
【符号の説明】
【００５５】
ＳＯ…検出センサ
３０…駆動モータ（駆動手段）
４９…信号処理部（制御手段）
【図１】
2010131286.tif 000003
【図２】
2010131286.tif 000004
【図３】
2010131286.tif 000005
【図４】
2010131286.tif 000006
【図５】
2010131286.tif 000007
【図６】
2010131286.tif 000008
【図７】
2010131286.tif 000009
【図８】
2010131286.tif 000010
【図９】
2010131286.tif 000011
【図１０】
2010131286.tif 000012
【図１１】
2010131286.tif 000013